(57)【特許請求の範囲】
【請求項１】
前胴周り域と、後胴周り域と、股下域とを有していて、透液性表面シートと、不透液性裏面シートと、前記表裏面シートの間に介在する吸液性パネルとから構成され、前記パネルが、フラッフパルプと高吸収性ポリマーと熱融着性合成樹脂繊維とからなり、前記前後胴周り域よりも前記股下域において幅が狭く形成された体液吸収保持層と、前記表面シートの側に位置する前記吸収保持層の上面に配置され、熱融着性合成樹脂繊維からなる不織布層とから形成され、前記吸収保持層と前記不織布層とが、透水性シートによって一体に被覆、接合された使い捨て着用物品において、
前記不織布が前記吸収保持層よりも薄く形成され、前記吸収保持層の前記熱融着性合成樹脂繊維及び前記不織布の前記熱融着性合成樹脂繊維が親水処理され、前記不織布層が前記吸収保持層よりも高い引裂強さを有し、前記不織布の前記保持層の上面に対する配置が前記股下域のみであり、
前記吸収保持層に含まれる前記熱融着性合成樹脂繊維と前記不織布層の前記熱融着性合成樹脂繊維とが、前記吸収保持層と前記不織布層との接触面で互いに熱融着されているとともに、前記不織布層が前記吸収保持層に前記股下域の縦横方向に互いに離間する多数の部位において該吸収保持層の厚み方向へ食い込み、前記部位において前記吸収保持層に含まれる前記熱融着性合成樹脂繊維と前記不織布層の前記熱融着性合成樹脂繊維とが互いに熱融着していることを特徴とする前記物品。
【請求項２】
前記吸収保持層では、前記フラッフパルプが１５〜６７重量％、前記高吸収性ポリマーが３０〜７０重量％、前記熱融着性合成樹脂繊維が３〜１５重量％の範囲にある請求項１に記載の物品。
【発明の詳細な説明】
【０００１】
【発明の属する技術分野】
本発明は、使い捨て着用物品に関し、より詳しくは、使い捨ておむつやトレーニングパンツ、失禁パンツ等の着用物品に関する。
【０００２】
【従来の技術】
特開平８−１９６５５９号公報は、透液性表面シートと不透液性裏面シートとの間に吸液性パネルが介在し、パネルが、７０重量％以下のフラッフパルプおよび３０重量％以上の高吸収性ポリマーを混合した体液吸収保持層と、吸収保持層の上部に重なる繊維集合層とから形成された使い捨ておむつを開示している。おむつでは、吸収保持層と繊維集合層とがティッシュペーパーで一体に被覆され、吸収保持層と繊維集合層とティッシュペーパーとの接触面の略全域がホットメルト接着剤を介して間欠的に接合されている。おむつでは、着用中にそれが湾曲したり、捩れたりしても、吸収保持層と繊維集合層とティッシュペーパーとの密着状態を維持することができる。
【０００３】
【発明が解決しようとする課題】
繊維集合層は、吸収保持層の崩れを防止する機能を有する。しかし、パネルでは、吸収保持層と繊維集合層とがそれら層の接触面で互いに接合されているにすぎず、それら層の接触面を除く吸収保持層の部位は脆く、崩れ易い。着用者の動作によってパネルが変形したときに、吸収保持層が前記部位において崩れてしまうと、吸収保持層が繊維集合層から分離し、パネルにおける体液の速やかな吸収が妨げられてしまうことがある。
【０００４】
本発明の課題は、体液吸収保持層の崩れを防止し、パネルにおける体液の速やかな吸収が妨げられることのない使い捨て着用物品を提供することにある。
【０００５】
【課題を解決するための手段】
前述した課題を解決するための本発明は、前胴周り域と、後胴周り域と、股下域とを有していて、透液性表面シートと、不透液性裏面シートと、前記表裏面シートの間に介在する吸液性パネルとから構成され、前記パネルが、フラッフパルプと高吸収性ポリマーと熱融着性合成樹脂繊維とからなり、前記前後胴周り域よりも前記股下域において幅が狭く形成された体液吸収保持層と、前記表面シートの側に位置する前記吸収保持層の上面に配置され、熱融着性合成樹脂繊維からなる不織布層とから形成され、前記吸収保持層と前記不織布層とが、透水性シートによって一体に被覆、接合された使い捨て着用物品を改良することにある。
【０００６】
改良にかかる本発明の特徴は、前記不織布が前記吸収保持層よりも薄く形成され、前記吸収保持層の熱融着性合成樹脂繊維及び前記不織布の熱融着性合成樹脂繊維が親水処理され、前記不織布層が前記吸収保持層よりも高い引裂強さを有し、前記不織布の前記保持層の上面に対する配置が前記股下域のみであり、前記吸収保持層に含まれる前記熱融着性合成樹脂繊維と前記不織布層の前記熱融着性合成樹脂繊維とが、前記吸収保持層と前記不織布層との接触面で互いに熱融着されているとともに、前記不織布層が前記吸収保持層に前記股下域の縦横方向に互いに離間する多数の部位において該吸収保持層の厚み方向へ食い込み、前記部位において前記吸収保持層に含まれる前記熱融着性合成樹脂繊維と前記不織布層の前記熱融着性合成樹脂繊維とが互いに熱融着していることにある。
【０００７】
【０００８】
【０００９】
本発明の実施の態様の一例としては、前記吸収保持層では、前記フラッフパルプが１５〜６７重量％、前記高吸収性ポリマーが３０〜７０重量％、前記熱融着性合成樹脂繊維が３〜１５重量％の範囲にある。
【００１０】
【００１１】
【発明の実施の形態】
添付の図面を参照し、本発明に係る使い捨て着用物品の詳細を使い捨ておむつを例として説明すると、以下のとおりである。
【００１２】
図１，２は、一部を破断して示す使い捨ておむつ１の斜視図と、体液吸収保持層４ａと不織布層４ｂとを分離した状態で示す吸液性パネル４の斜視図とであり、図３は、図１のＡ−Ａ線切断面図である。図２では、吸収保持層４ａと不織布層４ｂとが互いに重なり合った状態を仮想線で示す。おむつ１は、透液性表面シート２と、不透液性裏面シート３と、表面シート２と裏面シート３との間に介在する吸液性パネル４とを主要な構成部材とする。
【００１３】
おむつ１は、図１に示すように、縦方向に前胴周り域２０と、後胴周り域２２と、前後胴周り域２０，２２の間に位置する股下域２１とを備え、互いに並行して縦方向へ延び、股下域２１において横方向内方へ向かって弧を画く両側縁部１ａと、互いに並行して横方向へ延びる両端縁部１ｂとを有する。おむつ１の両側縁部１ａには、縦方向へ延びる防漏カフ６が取り付けられている。
【００１４】
パネル４は、体液吸収保持層４ａと、吸収保持層４ａの上面に重なる不織布層４ｂとから形成されている。パネル４は、表面全域がティッシュペーパー５等の透水性シートに被覆され、ティッシュペーパー５を介して表面シート２と裏面シート３との少なくとも一方の内面に接合されている。パネル４とティッシュペーパー５とは、それらのうちの少なくとも一方にドット状に塗布された接着剤（図示せず）を介して接合されている。
【００１５】
吸収保持層４ａは、フラッフパルプと高吸収性ポリマー粒子と熱融着性合成樹脂繊維との混合物であり、所要の厚みに圧縮されている。吸収保持層４ａは、砂時計型を呈し、おむつ１の前胴周り域２０に位置する前部４Ａと、おむつ１の後胴周り域２２に位置する後部４Ｃと、おむつ１の股下域２１に位置する中央部４Ｂとを有する。吸収保持層４ａの上面には、吸収保持層４ａの厚み方向へ凹む多数の凹部７が形成されている。吸収保持層４ａの内部では、熱融着性繊維が機械的に交絡、または、熱融着性繊維各々がそれら繊維の接点において融着している。
【００１６】
不織布層４ｂは、熱融着性合成樹脂繊維から形成され、吸収保持層４ａよりも薄く形成され、吸収保持層４ａの中央部４Ｂに配置されている。不織布層４ｂは、吸収保持層４ａよりも高い引裂強さを有する。ＪＩＳ：Ｌ１０９６に基づく不織布層４ｂの引裂強さは、５０ｇ／２５ｍｍ以上であることが好ましい。
【００１７】
吸収保持層４ａと不織布層４ｂとは、重なり合うそれら層４ａ，４ｂの接触面において、吸収保持層４ａに含まれる熱融着性繊維と不織布層４ｂとが互いに熱融着されている。さらに、不織布層４ｂが吸収保持層４ａの凹部７に食い込んだ状態で、吸収保持層４ａに含まれる熱融着性合成樹脂繊維と不織布層４ｂとが凹部７内におけるそれら層４ａ，４ｂの接触面で互いに熱融着されている。
【００１８】
パネル４では、吸収保持層４ａの内部において交絡する熱融着性繊維によって吸収保持層４ａの形態保持性が向上する。また、パネル４では、吸収保持層４ａと不織布層４ｂとが吸収保持層４ａの凹部７内において互いに融着しているので、それら層４ａ，４ｂの融着部位が増し、吸収保持層４ａと不織布層４ｂとがより強固に接合される。
【００１９】
吸収保持層４ａの熱融着性繊維と不織布層４ｂの構成繊維とは、吸収保持層４ａと不織布層４ｂとの融着を容易かつ確実にするため、融点が近似していることが好ましく、体液の流動を促進するため、親水処理を施すことが好ましい。
【００２０】
不織布層４ｂは、その坪量が１０〜１００ｇ／ｍ２の範囲、好ましくは、１０〜３０ｇ／ｍ２の範囲にある。坪量が１０ｇ／ｍ２の未満の場合では、パネル４の変形によって不織布層４ｂが破断することがあり、不織布層４ｂの破断にともなって吸収保持層４ａが崩れてしまうことがある。坪量が１００ｇ／ｍ２を超過する場合では、不織布層４ｂの柔軟性が低下し、おむつ１の着用感を害してしまう。
【００２１】
吸収保持層４ａでは、フラッフパルプが１５〜６７重量％、高吸収性ポリマーが３０〜７０重量％、熱融着性繊維が３〜１５重量％の範囲にある。熱融着性繊維が３重量％未満の場合では、吸収保持層４ａと不織布層４ｂとの融着が不十分となり、パネル４の変形によって吸収保持層４ａと不織布層４ｂとが剥離してしまうことがある。熱融着性繊維が１５重量％を超過する場合では、吸収保持層４ａの柔軟性が低下し、おむつ１の着用感が害されてしまう。
【００２２】
カフ６は、表面シート２に固着された固定側部６ａと、固定側部６ａに対向して縦方向へ延びる自由側部６ｂと、おむつ１の横方向内方へ倒伏された状態で表面シート２に固着された両端部６ｃと、固定側部６ａから横方向外方へ延びる外側部分６ｄとを有する。カフ６の自由側部６ｂには、縦方向へ延びる弾性伸縮性部材８が自由側部６ｂの一部に被覆された状態で伸長下に固定されている。カフ６は、その自由側部６ｂが表面シート２の上方へ起立性向を有する。
【００２３】
おむつ１の両側縁部１ａには、縦方向へ延びる複数条の脚周り用弾性伸縮性部材９が伸長状態で取り付けられている。脚周り用弾性部材９は、裏面シート３の両側部分３ａとカフ６の外側部分６ｄとの間に介在し、裏面シート３とカフ６との少なくとも一方の内面に固定されている。
【００２４】
おむつ１の両端縁部１ｂには、横方向へ延びる胴周り用弾性伸縮性部材１０が伸長状態で取り付けられている。胴周り用弾性部材１０は、おむつ１の両側縁部１ａに位置する部分が裏面シート３の両側部分３ａとカフ６の外側部分６ｄとの間に介在し、裏面シート３とカフ６との少なくとも一方の内面に固定され、残余の部分が表面シート２と裏面シート３との間に介在し、それらシート２，３の少なくとも一方の内面に固定されている。
【００２５】
図１では、弾性部材８，９，１０各々が収縮し、おむつ１の両側縁部１ａおよび両端縁部１ｂとカフ６の自由側部６ｂとに多数のギャザーが形成され、カフ６の自由側部６ｂが図１の上方へ起立している。
【００２６】
後胴周り域２２の両側縁部１ａには、横方向内方へ延びるテープファスナ１２が取り付けられている。前胴周り域２０における裏面シート３の外面には、テープファスナ１２の止着域となるターゲットテープ（図示せず）が取り付けられている。
【００２７】
テープファスナ１２は、その基端部が表面シート２と裏面シート３との間に介在し、それらシート２，３の内面に接着剤（図示せず）を介して固定されている。テープファスナ１２の自由端部の内面には、粘着剤（図示せず）が塗布され、テープファスナ１２の自由端部が粘着材を介して表面シート２に剥離可能に貼着されている。
【００２８】
おむつ１の着用時では、テープファスナ１２の自由端部が粘着剤を介してターゲットテープの外面に止着され、胴周り開口（図示せず）と、一対の脚周り開口（図示せず）とが画成される。
【００２９】
おむつ１の両側縁部１ａでは、表面シート２の両側部分２ａがパネル４の両側縁から横方向外方へわずかに延び、裏面シート３の両側部分３ａとカフ６の外側部分６ｄとが表面シート２の両側部分２ａからさらに横方向外方へ延びている。表面シート２の両側部分２ａは、裏面シート３の両側部分３ａとカフ６の外側部分６ｄとの間に介在し、裏面シート３とカフ６とのうちの少なくとも一方の内面に固着されている。裏面シート３の両側部分３ａとカフ６の外側部分６ｄとは、それら部分３ａ，６ｄの内面が互いに重なり合った状態で固着されている。おむつ１の両端縁部１ｂでは、パネル４の両端縁から縦方向外方へ延びる表面シート２と裏面シート３との互いに重なり合う部分が固着されている。
【００３０】
不織布層４ｂは、吸収保持層４ａの上下面の少なくとも一方に配置されていればよく、吸収保持層４ａの前後部４Ａ，４Ｃと中央部４Ｂとのうちの少なくとも中央部４Ｂに配置されていればよい。
【００３１】
不織布層４ｂとしては、スパンレース、ニードルパンチ、メルトブローン、サーマルボンド、スパンポンド、ケミカルボンド、エアースルー等により製造されたものを使用することができる。吸収保持層４ａの熱融着性繊維と不織布層４ｂの構成繊維としては、ポリオレフィン系、ポリエステル系、ポリアミド系、の各繊維、ポリエチレン／ポリプロピレンまたはポリエステルからなる芯鞘型複合繊維や偏心芯鞘型複合繊維、分割型複合繊維等を使用することができる。
【００３２】
表面シート２には、不織布や開孔プラスチックフィルム等の透液性のシート、好ましくは透液性であって親水性のシートを使用することができる。裏面シート３には、疎水性不織布や不透液性のプラスチックフィルム、または、疎水性不織布とプラスチックフィルムとのラミネートシート、好ましくは通気不透液性のシートを使用することができる。また、裏面シート３には、高い耐水性を有するメルトブローン不織布の両シート面を、高い強度を有しかつ柔軟性に富んだスパンボンド不織布のシート面で挟んだ複合不織布（ＳＭＳ不織布）を使用することもできる。
【００３３】
表裏面シート２，３の固着や表裏面シート２，３とティッシュペーパー５との接合、弾性部材８，９，１０の固定には、ホットメルト接着剤等の接着剤や粘着剤、または、ヒートシールやソニックシール等の熱溶着の手段を利用することができる。接着剤としては、ホットメルト接着剤を使用することが好ましい。
【００３４】
この発明は、使い捨ておむつの他に、トレーニングパンツ、失禁パンツ等でも実施することができる。また、図示例のオープン型の他に、パンツ型でも実施することができる。
【００３５】
【発明の効果】
本発明に係る使い捨て着用物品によれば、体液吸収保持層に含まれる熱融着性繊維が吸収保持層の形態保持性を向上させ、かつ、吸収保持層の熱融着性繊維と不織布層とがそれら層の接触面において互いに熱融着されているので、パネルが変形したとしても、吸収保持層が崩れ難く、パネルにおける体液の速やかな吸収が妨げられることはない。
【００３６】
また、パネルにおいて、不織布層が吸収保持層の凹部に食い込んだ状態で、吸収保持層に含まれる熱融着性繊維と不織布層の熱融着繊維とが互いに熱融着されているので、吸収保持層と不織布層との融着部位が増し、吸収保持層と不織布層とがより強固に連結され、吸収保持層の崩れの一層の防止を図ることができる。
【図面の簡単な説明】
【図１】  前胴周り域の側から示す使い捨ておむつの部分破断斜視図。
【図２】  パンツ型に成形する以前の状態を示すおむつの展開平面図。
【図３】  図２のＡ−Ａ線切断面図。
【符号の説明】
１              使い捨ておむつ（使い捨て着用物品）
２              透液性表面シート
３              不透液性裏面シート
４              吸液性パネル
４ａ            体液吸収保持層
４ｂ            不織布層
５              ティッシュペーパー（透水性シート）
７              凹部（食い込み部位）
２０              前胴周り域
２１              股下域
２２              後胴周り域
【図１】
0003916852.tif 000002
【図２】
0003916852.tif 000003
【図３】
0003916852.tif 000004